(57)【特許請求の範囲】
【請求項１】
長軸を有する像担持体と、
前記像担持体を放電によって帯電させる帯電装置と、
ビーム光が出射するビーム出射口を有し、前記帯電装置によって帯電した前記像担持体に前記ビーム光を照射する光走査装置と、
風を発生させるファンと、
前記ファンによって発生した前記風の向きを、前記ビーム出射口に前記風が到達する手前で前記像担持体に向かうように変更する風向き変更部材と
を備え、
前記風向き変更部材は、前記風が当たる風向き変更斜面を含み、
前記風向き変更斜面に対する垂線は、前記長軸と交差する、画像形成装置。
【請求項２】
前記風向き変更部材は、突形状を含む、請求項１に記載の画像形成装置。
【請求項３】
前記風向き変更斜面の前記像担持体に近い方の一端は、前記一端と対向する他端よりも前記風の風下側に位置する、請求項１又は請求項２に記載の画像形成装置。
【請求項４】
前記風向き変更斜面は、前記像担持体に面する、請求項１〜請求項３のいずれか１項に記載の画像形成装置。
【請求項５】
前記風向き変更斜面の面方向は、前記長軸と交差する、請求項１〜請求項４のいずれか１項に記載の画像形成装置。
【請求項６】
前記像担持体を除電する除電装置と、
前記除電装置を支持する支持部材と
を更に備え、
前記支持部材に前記風向き変更部材が一体に形成される、請求項１〜請求項５のいずれか１項に記載の画像形成装置。
【発明の詳細な説明】
【技術分野】
【０００１】
本発明は、画像形成装置に関する。
【背景技術】
【０００２】
電子写真方式の画像形成装置は、放電によって感光体ドラムを帯電させる。帯電した感光体ドラムは、光走査装置のビーム出射口から出射されたビーム光によって、その周面に静電潜像が形成される。感光体ドラムの周面に形成された静電潜像は、現像装置からトナーが供給されることによってトナー像に現像される。
【０００３】
感光体ドラムを放電によって帯電させると、オゾンが発生する。感光体ドラムの周辺にオゾンが滞留すると、感光体ドラムの帯電性能が低下して画像品質が低下する虞がある。このため、感光体ドラムの周辺におけるオゾンの滞留を抑制する様々な技術が提案されている。
【０００４】
例えば、特許文献１には、ファン、及びオゾン吸着フィルターを備える画像形成装置が開示されている。ファンは、オゾン吸着フィルターを介して感光体ドラム周辺の空気を画像形成装置の外部へ排出する。
【先行技術文献】
【特許文献】
【０００５】
【特許文献１】特開平５−１１５７６号公報
【発明の概要】
【発明が解決しようとする課題】
【０００６】
しかしながら、特許文献１に記載の画像形成装置では、ファンによって発生した風が光走査装置に到達する可能性がある。風が光走査装置に到達すると、ビーム出射口を覆う防塵ガラスに異物が付着して、画像品質が低下する虞がある。
【０００７】
本発明は、上記課題に鑑み、感光体ドラムの周辺におけるオゾンの滞留を抑制しつつ、防塵ガラスへの異物の付着を抑制することができる画像形成装置を提供することを目的とする。
【課題を解決するための手段】
【０００８】
本発明の画像形成装置は、像担持体と、帯電装置と、光走査装置と、ファンと、風向き変更部材とを備える。前記帯電装置は、前記像担持体を放電によって帯電させる。前記光走査装置は、ビーム光が出射するビーム出射口を有し、前記帯電装置によって帯電した前記像担持体に前記ビーム光を照射する。前記ファンは、風を発生させる。前記風向き変更部材は、前記ファンによって発生した前記風の向きを、前記ビーム出射口に前記風が到達する手前で前記像担持体に向かうように変更する。
【発明の効果】
【０００９】
本発明によれば、感光体ドラムの周辺におけるオゾンの滞留を抑制しつつ、防塵ガラスへの異物の付着を抑制することができる。
【図面の簡単な説明】
【００１０】
【図１】本発明の実施形態に係る画像形成装置を示す斜視図である。
【図２】本発明の実施形態に係る画像形成装置が備える筐体の右側面の内側を示す一部断面斜視図である。
【図３】本発明の実施形態に係る画像形成装置の構成を示す図である。
【図４】図３の風向き変更部材、及びその近傍を示す拡大図である。
【図５】本発明の実施形態に係る風向き変更部材を示す斜視図である。
【図６】本発明の実施形態に係る風向き変更部材を示す正面図である。
【図７】本発明の実施形態に係る吸引ファンによって発生した風の流れを示す図である。
【発明を実施するための形態】
【００１１】
以下、図面を参照して本発明の実施形態に係る画像形成装置について説明する。なお、図中、同一又は相当部分については同一の参照符号を付して説明を繰り返さない。
【００１２】
まず、図１及び図２を参照して、画像形成装置１の構成について説明する。図１に示すように、画像形成装置１は、例えば、電子写真方式のプリンターである。画像形成装置１は筐体１００を備える。筐体１００は、右側面１０１を有する。図２に示すように、画像形成装置１は、吸引ファン１１０を更に備える。吸引ファン１１０は、筐体１００における右側面１０１側の内部に配置され、筐体１００の外部から空気を吸引する。これにより、筐体１００内部に風が発生する。
【００１３】
続いて、図３を参照して、画像形成装置１の構成について詳細に説明する。なお、図３の紙面に垂直な方向における手前側は、画像形成装置１の右側面１０１側であり、奥側が画像形成装置１の左側面側である。図３では、理解を容易にするために、吸引ファン１１０を２点鎖線で示している。
【００１４】
図３に示すように、画像形成装置１は、筐体１００の内部に、シートＳを搬送する搬送部２、シートＳを１枚ずつ搬送部２へ給紙する給紙部３、シートＳに画像を形成する画像形成部４、画像をシートＳに定着させる定着部５、シートＳを筐体１００の外部に排出する排出部６、及び風向き変更部材１０を更に備える。本実施形態において、画像形成部４は、吸引ファン１１０に対向している。画像形成部４は、少なくともその一部が吸引ファン１１０から発生した風によって冷却される。
【００１５】
画像形成部４は、帯電装置４１、光走査装置４２、現像装置４３、像担持体の一例である感光体ドラム４４、転写ローラー４５、クリーニング装置４６、及び除電装置４７を有する。
【００１６】
感光体ドラム４４は、静電潜像、及びトナー像を担持する。本実施形態において、感光体ドラム４４は、画像形成装置１の左右方向に延びる回転軸４４ａ（長軸の一例）を有する。感光体ドラム４４は、回転軸４４ａを中心に回転方向Ｒ１に回転する。感光体ドラム４４は、例えば、ＯＰＣ（Ｏｒｇａｎｉｃ  Ｐｈｏｔｏ  Ｃｏｎｄｕｃｔｏｒ）ドラムである。
【００１７】
帯電装置４１、現像装置４３、転写ローラー４５、及びクリーニング装置４６は、感光体ドラム４４の回転方向Ｒ１に沿ってこの順で感光体ドラム４４の周囲に配置される。
【００１８】
帯電装置４１は、感光体ドラム４４を放電によって所定の電位に帯電させる。本実施形態において、帯電装置４１は、感光体ドラム４４の上方に配置される。
【００１９】
光走査装置４２は、光学系４２１と、ビーム出射口４２２と、防塵ガラス４２３とを有する。光学系４２１は、例えば、光源、ポリゴンミラー、及び集光レンズを含み得る。防塵ガラス４２３は、ビーム出射口４２２を覆う。ビーム出射口４２２及び防塵ガラス４２３を介してビーム光Ｌ１が出射される。本実施形態において、光走査装置４２は、帯電装置４１の上方に配置される。ビーム光Ｌ１は、帯電装置４１と現像装置４３との間を通って感光体ドラム４４の周面に照射される。詳しくは、感光体ドラム４４の周面がビーム光Ｌ１により主走査方向（感光体ドラム４４の回転軸４４ａと平行な方向）に沿って走査される。また、光走査装置４２は、画像データに基づいて感光体ドラム４４にビーム光Ｌ１を照射する。これにより、感光体ドラム４４の周面に画像データに応じた静電潜像が形成される。
【００２０】
現像装置４３は、感光体ドラム４４にトナーを供給して、感光体ドラム４４に形成された静電潜像を現像してトナー像を形成する。
【００２１】
転写ローラー４５は、感光体ドラム４４に対向して配置され、感光体ドラム４４に形成されたトナー像をシートＳに転写する。トナー像が転写されたシートＳは定着部５に搬送される。
【００２２】
クリーニング装置４６は、感光体ドラム４４の周面に残留したトナーを除去する。
【００２３】
除電装置４７は、感光体ドラム４４の周面に除電光Ｌ２を照射して、感光体ドラム４４の周面の残留電荷を除去する。本実施形態において、除電装置４７は、クリーニング装置４６と帯電装置４１との間から感光体ドラム４４の周面に除電光Ｌ２を照射する。また、除電装置４７は、画像形成装置１が備える支持部材４７１に支持される。支持部材４７１は、画像形成装置１の左右方向に延在している。本実施形態において、支持部材４７１は、クリーニング装置４６及び帯電装置４１の上方、かつ光走査装置４２の下方に配置される。
【００２４】
本実施形態では、吸引ファン１１０から発生した風によって現像装置４３が冷却される。また、吸引ファン１１０によって発生した風の一部は、上方に流れて光走査装置４２及び除電装置４７を冷却する。
【００２５】
風向き変更部材１０は、吸引ファン１１０によって発生した風の向きを変更する。本実施形態において、風向き変更部材１０は、支持部材４７１に一体に形成される。
【００２６】
続いて、図４〜図６を参照して、風向き変更部材１０について詳細に説明する。図４は、画像形成装置１の右側から見た風向き変更部材１０を示している。
【００２７】
図４に示すように、風向き変更部材１０は、支持部材４７１が有する前面４７１ａから画像形成装置１の前方に向けて突出する突形状を含む。本実施形態では、吸引ファン１１０から発生して上方に流れた風の一部は、前面４７１ａに沿って流れて風向き変更部材１０に当たる。図５に示すように、風向き変更部材１０は、右側に斜面１１を有する。以下、斜面１１を風向き変更斜面１１と記載する。本実施形態では、前面４７１ａに沿って流れた風は、風向き変更斜面１１に当たる。
【００２８】
図６に示すように、風向き変更部材１０は、ビーム出射口４２２よりも吸引ファン１１０側（右側面１０１側）に設けられる。また、風向き変更斜面１１は、感光体ドラム４４に近い側の一端１１ａ、及び一端１１ａと対向する他端１１ｂを有する。風向き変更斜面１１は、一端１１ａが他端１１ｂよりも画像形成装置１の左側に位置するように傾斜している。この結果、一端１１ａは、他端１１ｂよりも風の流れＷにおける風下側に位置する。また、本実施形態において、風向き変更斜面１１は、感光体ドラム４４に面している。更に、風向き変更斜面１１の面方向ｆは、感光体ドラム４４の回転軸４４ａと交差し、風向き変更斜面１１に対する垂線ｈは、感光体ドラム４４の回転軸４４ａと交差する。
【００２９】
次に、図７を参照して、吸引ファン１１０から発生した風の流れＷについて詳細に説明する。
【００３０】
吸引ファン１１０によって発生した風の一部は、図７に示すように、画像形成装置１の右側の内壁面を伝って支持部材４７１の前面４７１ａの近傍まで上昇する。支持部材４７１の前面４７１ａ近傍に到達した風は、右側から左側に向けて支持部材４７１の前面４７１ａに沿って流れる。そして、支持部材４７１に沿って流れた風は、ビーム出射口４２２に到達する手前で風向き変更斜面１１に当たる。これにより、ビーム出射口４２２に風が到達する手間で、風の向きが感光体ドラム４４へ向かう方向（下方向）へ変更される。
【００３１】
吸引ファン１１０によって発生した風が防塵ガラス４２３に到達すると、塵、及び埃のような異物が防塵ガラス４２３に付着する可能性がある。防塵ガラス４２３に異物が付着すると、感光体ドラム４４の周面に露光されない箇所が生じる可能性がある。しかしながら、本実施形態によれば、吸引ファン１１０によって発生した風の向きが、ビーム出射口４２２に風が到達する手間で感光体ドラム４４に向かう方向へ変更される。これにより、風が防塵ガラス４２３に到達することを抑制し、異物が防塵ガラス４２３へ付着することを抑制することができる。この結果、画像品質の低下を抑制することができる。
【００３２】
また、感光体ドラム４４に導かれた風は、感光体ドラム４４の周面に沿って流れる。これにより、感光体ドラム４４の周辺に滞留したオゾンが拡散される。この結果、感光体ドラム４４の帯電性能の低下を抑制することができる。したがって、画像品質の低下を抑制することができる。
【００３３】
以上、本発明の実施形態について説明した。本実施形態によれば、感光体ドラム４４の周辺におけるオゾンの滞留を抑制しつつ、防塵ガラス４２３への異物の付着を抑制することができる。この結果、画像品質の低下を抑制することができる。
【００３４】
また、本実施形態によれば、風向き変更部材１０は、除電装置４７を支持する支持部材４７１に一体に形成される。これにより、画像形成装置１の部品点数を削減することができる。
【００３５】
なお、本実施形態において、風向き変更部材１０は、支持部材４７１に一体に形成されたが、本発明はこれに限定されない。風向き変更部材１０は、支持部材４７１と別体であってもよい。
【００３６】
以上、図面を参照しながら本発明の実施形態について説明した。ただし、本発明は、上記の実施形態に限られるものではなく、その要旨を逸脱しない範囲で種々の態様において実施することが可能である。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００３７】
例えば、本発明の実施形態では、モノクロ方式の複合機に本発明が適用される形態について説明したが、本発明はこれに限定されない。例えば、本発明は、カラー方式の複合機にも適用可能である。
【００３８】
また、本発明の実施形態では、右側面１０１側に吸引ファン１１０が設けられる画像形成装置１を例に説明したが、本発明はこれに限定されない。例えば、本発明は、左側面側に吸引ファン１１０が設けられる画像形成装置にも適用可能である。
【産業上の利用可能性】
【００３９】
本発明は、画像形成装置に有用である。
【符号の説明】
【００４０】
１        画像形成装置
４        画像形成部
１０      風向き変更部材
４１      帯電装置
４２      光走査装置
４４      感光体ドラム
１１０    吸引ファン
【図１】
0006350436.tif 000002
【図２】
0006350436.tif 000003
【図３】
0006350436.tif 000004
【図４】
0006350436.tif 000005
【図５】
0006350436.tif 000006
【図６】
0006350436.tif 000007
【図７】
0006350436.tif 000008